(57)【要約】      （修正有）【課題】メンテナンスに際し前面のパネルの取り外しや移動をすることなく、構造を単純化しつつ作業性に優れた照明装置を提供する。【解決手段】建築物の開口部Ｏに取り付けられる照明装置５０において、照明装置５０の前面に配されて背面側から光が透過可能な透光パネル５１と、透光パネル５１に対して背面側から光を照射する光源５２と、透光パネル５１を前面部で支持するとともに、光源５２を内部に保持するフレーム５３と、を備える。照明装置５０は、開口部Ｏに設けられた長尺な枠体９に沿って設けられる。透光パネル５１は、枠体９に沿って長尺に設けられる。フレーム５３は、見込面部５７と、フレーム５３の内部にアクセスするために見込面部５７に設けられた点検口５８と、点検口５８を開閉可能な蓋体５９と、を備える。【選択図】図３
2020102395.tif 000002
【特許請求の範囲】
【請求項１】
建築物の開口部に取り付けられる照明装置であって、
前記照明装置の前面に配されて背面側から光が透過可能な透光パネルと、
前記透光パネルに対して背面側から光を照射する光源と、
前記透光パネルを前面部で支持するとともに、前記光源を内部に保持するフレームと、を備え、
前記照明装置は、前記開口部に設けられた長尺な枠体に沿って設けられており、
前記透光パネルは、前記枠体に沿って長尺に設けられ、
前記フレームは、見込面部と、前記フレームの内部にアクセスするために前記見込面部に設けられた点検口と、前記点検口を開閉可能な蓋体と、を備えていることを特徴とする照明装置。
【請求項２】
前記フレームの内部には、前記光源が取り付けられた光源取付部材が配されており、
前記光源取付部材は、前記フレームの前記見込面部から離間して固定されていることを特徴とする請求項１記載の照明装置。
【請求項３】
前記光源取付部材は、前面側に光源が取り付けられ、背面側に前記光源に接続される配線が配されていることを特徴とする請求項２記載の照明装置。
【請求項４】
前記光源取付部材は、背面側が前記点検口からアクセス可能に配されていることを特徴とする請求項３記載の照明装置。
【請求項５】
前記光源取付部材は、前記透光パネルより短尺で複数に分割されて配されていることを特徴とする請求項２〜４のいずれか１記載の照明装置。
【請求項６】
前記開口部は、上端縁に上枠が設けられており、
前記照明装置は、前記上枠に沿って設けられた上枠部を有しており、
前記フレームは、前記上枠部において上面部を有しており、
前記光源取付部材は、前記上枠部において前記フレームの上面部とのあいだを補強部材によって架橋されて補強されていることを特徴とする請求項２〜５のいずれか１記載の照明装置。
【請求項７】
前記フレームの内部には、開口した前端部に前記透光パネルが配されて背面側が溝底部となる有底長溝状の空間が形成され、前記空間に内接する内接面は空間内の光を反射する部材からなり、前記光源は前記空間の溝底部に配設されていることを特徴とする請求項１〜６のいずれか１記載の照明装置。
【請求項８】
前記空間は、前記点検口側の溝側面を形成する溝側面部材と、溝底面を形成する溝底部材とによって形成され、前記溝側面部材は、前記溝底部材とは分離して着脱可能に取り付けられていることを特徴とする請求項７記載の照明装置。
【請求項９】
前記内接面は、前記空間の溝底側ほど溝幅が狭くなるよう傾斜した傾斜面を有することを特徴とする請求項７又は８記載の照明装置。
【請求項１０】
前記枠体に連結される前記照明装置の背面部を構成する部材が、他の面部を構成する部材から独立した部材として前記フレームを構成していることを特徴とする請求項１〜９のいずれか１記載の照明装置。
【発明の詳細な説明】
【技術分野】
【０００１】
本発明は、建築物の開口部に設けられる照明装置に関する。
【背景技術】
【０００２】
一般に、建築物の開口部に視認性・外観性の向上や防犯効果等を目的として照明装置が設けられる場合がある。かかる照明装置として、開口部に設けられた枠体の全長わたって取り付けられ、前面側にガラスやアクリル板等の透光パネルを配して、透光パネルの背面側から前面に向けてＬＥＤ等の光源により直接又は間接に光を照射するよう構成されたものが知られている。この種の照明装置では従来、内部の光源等のメンテナンスに際して、前面側に配された透光パネルを取り外して行う必要があった。特に店舗の開口部のように大きい開口部に取り付けられた照明装置のメンテナンスにおいては、必然的にパネルも大型となるため、透光パネルの取り外し・取り付けに多大な労力や専門技術が必要となる。
【０００３】
そこで、この種の照明装置において、透光パネルを取り外さずに内部のメンテナンスを可能としたものとして、例えば特許文献１に記載されたものが知られている。このものは、光源と導光板とが保持された保持部材を収納し、前面にガラスが取り付けられた収納部材が回動可能に取り付けられていて、収納部材を回動させると保持部材を取り出すことができるため、メンテナンス時にガラスを取り外す必要がないようになっている。
【先行技術文献】
【特許文献】
【０００４】
【特許文献１】特開２０１２−４９０５１号公報
【発明の概要】
【発明が解決しようとする課題】
【０００５】
ところで、特許文献１に記載された照明装置では、メンテナンスに際してガラスを含めた収納部材を回動させることとなるため、作業性が悪いという問題がある。また、回動・着脱のための構造が必要となることや、光源自体も回動するため配線の取り回しも難しく、全体として構造が複雑化してしまうという問題がある。そこで、メンテナンスに際して前面のパネルの取り外しや移動をすることなく、構造を単純化しつつ作業性に優れた照明装置を提供することが望まれている。
【課題を解決するための手段】
【０００６】
本発明は、上記の課題を解決するため鋭意創作されたものであって、請求項１の発明は、建築物の開口部に取り付けられる照明装置であって、前記照明装置の前面に配されて背面側から光が透過可能な透光パネルと、前記透光パネルに対して背面側から光を照射する光源と、前記透光パネルを前面部で支持するとともに、前記光源を内部に保持するフレームと、を備え、前記照明装置は、前記開口部に設けられた長尺な枠体に沿って設けられており、前記透光パネルは、前記枠体に沿って長尺に設けられ、前記フレームは、見込面部と、前記フレームの内部にアクセスするために前記見込面部に設けられた点検口と、前記点検口を開閉可能な蓋体と、を備えていることを特徴とする照明装置である。
請求項２の発明は、前記フレームの内部には、前記光源が取り付けられた光源取付部材が配されており、前記光源取付部材は、前記フレームの前記見込面部から離間して固定されていることを特徴とする請求項１記載の照明装置である。
請求項３の発明は、前記光源取付部材は、前面側に光源が取り付けられ、背面側に前記光源に接続される配線が配されていることを特徴とする請求項２記載の照明装置である。
請求項４の発明は、前記光源取付部材は、背面側が前記点検口からアクセス可能に配されていることを特徴とする請求項３記載の照明装置である。
請求項５の発明は、前記光源取付部材は、前記透光パネルより短尺で複数に分割されて配されていることを特徴とする請求項２〜４のいずれか１記載の照明装置である。
請求項６の発明は、前記開口部は、上端縁に上枠が設けられており、前記照明装置は、前記上枠に沿って設けられた上枠部を有しており、前記フレームは、前記上枠部において上面部を有しており、前記光源取付部材は、前記上枠部において前記フレームの上面部とのあいだを補強部材によって架橋されて補強されていることを特徴とする請求項２〜５のいずれか１記載の照明装置である。
請求項７の発明は、前記フレームの内部には、開口した前端部に前記透光パネルが配されて背面側が溝底部となる有底長溝状の空間が形成され、前記空間に内接する内接面は空間内の光を反射する部材からなり、前記光源は前記空間の溝底部に配設されていることを特徴とする請求項１〜６のいずれか１記載の照明装置である。
請求項８の発明は、前記空間は、前記点検口側の溝側面を形成する溝側面部材と、溝底面を形成する溝底部材とによって形成され、前記溝側面部材は、前記溝底部材とは分離して着脱可能に取り付けられていることを特徴とする請求項７記載の照明装置である。
請求項９の発明は、前記内接面は、前記空間の溝底側ほど溝幅が狭くなるよう傾斜した傾斜面を有することを特徴とする請求項７又は８記載の照明装置である。
請求項１０の発明は、前記枠体に連結される前記照明装置の背面部を構成する部材が、他の面部を構成する部材から独立した部材として前記フレームを構成していることを特徴とする請求項１〜９のいずれか１記載の照明装置である。
【発明の効果】
【０００７】
請求項１の発明とすることにより、見込面部に設けられた点検口からフレームの内部にアクセス可能となるため、メンテナンスに際して透光パネルの取り外しや移動が不要となって作業性に優れたものとすることができる。
請求項２、３の発明とすることにより、光源取付部材がフレームの見込面部から離間して固定されていることにより、見込面部が受けた衝撃が光源に直接伝わらないため、光源や配線の位置ずれや脱落等を抑止することができる。
請求項４の発明とすることにより、点検口から配線のメンテナンスが可能となるため、配線のみのメンテナンスに際して必ずしも光源取付部材を取り外す必要がなく、作業性に優れたものとすることができる。
請求項５の発明とすることにより、メンテナンスが必要な箇所の光源取付部材のみを取り外すことができるため、作業性に優れたものとすることができる。
請求項６の発明とすることにより、上枠部における光源取付部材が補強されて脱落や変形を抑止することができる。
請求項７の発明とすることにより、空間内の光が内接面によって反射されるため、透光パネルからの照度が向上するとともに、照射のムラを低減することができる。
請求項８の発明とすることにより、溝側面部材を光源が配設された溝底部材と分離して着脱可能であるため、メンテナンスの作業性を向上させることができる。
請求項９の発明とすることにより、光源と近い位置で内接面の反射が生じることとなるため、透光パネル全体の照度を向上させることができる。
請求項１０の発明とすることにより、フレームが損傷等した場合において、照明装置を枠体から取り外すことなく、背面部以外の面部を構成する部材の修理・交換が可能となるため、作業性を向上させることができる。
【図面の簡単な説明】
【０００８】
【図１】開口部に取り付けられた第一実施形態に係る照明装置の正面図である。
【図２】照明装置の斜視図である。
【図３】左右枠部における照明装置の平面断面図である。
【図４】上枠部における照明装置の側面断面図である。
【図５】左枠部における照明装置の側面断面図である。
【図６】フレーム、光源取付部材及び溝側面部材が組み合わされた状態を示す（Ａ）平面図、（Ｂ）斜視図である。
【図７】右枠部における照明装置の分解図である。
【図８】第二実施形態に係る照明装置の上枠部の側面断面図である。
【発明を実施するための形態】
【０００９】
以下、本発明の第一実施形態について、図１〜７に基づいて詳細に説明する。Ｏは建築物の開口部であって、該開口部Ｏには、建築物の出入口となって外部と内部を隔てる建具１が設けられている。建具１は、引き分け式の自動開閉扉２と、自動開閉扉２の左右に配されるＦＩＸ部３と、自動開閉扉２及びＦＩＸ部３の上部に配される欄間部４と、を備えて構成されている。ＦＩＸ部３は左右端部を方立５又は開口部Ｏの端縁に設けられた縦枠６によって支持固定されて立設されている。また、欄間部４の上部は開口部Ｏの上端縁に設けられた上枠７によって、下部は無目８によってそれぞれ支持固定されている。そして、自動開閉扉２とその左右一対のＦＩＸ部３、これらの上部に配された欄間部４を正面視で略冂字状に囲い、これらを支持する方立５、縦枠６、上枠７に沿って照明装置５０が取り付けられている。これら方立５、縦枠６、上枠７は、照明装置５０が取り付けられる枠体９に相当する。
【００１０】
自動開閉扉２は、無目８の内部にレールや駆動機構等を備え、センサによる検知に基づき自動的に開閉制御されたものであるが、一般的なものが採用されているため、詳細な説明は省略する。ＦＩＸ部３は自動開閉扉２と前後に位置ずれして配されており、自動開閉扉２が開放されると自動開閉扉２と前後（見込方向）に重なって建物内に出入り可能となる一方、閉鎖されたときには出入りができないようになっている。本実施形態では、自動開閉扉２がＦＩＸ部３に対して後方側にずれて配されている。正面視で自動開閉扉２の左右両隣に配されたＦＩＸ部３は、それぞれ右ＦＩＸ部３ａ、左ＦＩＸ部３ｂである。右ＦＩＸ部３ａは、右端部を縦枠６、左端部を方立５によって支持されている。他方、左ＦＩＸ部３ｂは、左右両端部をそれぞれ方立５によって支持されている。そして、照明装置５０は、縦枠６と、左ＦＩＸ部３ｂの左端を支持する方立５と、これらの間の上枠７に沿って、これら枠体９の前方に取り付けられている。
【００１１】
照明装置５０は、前面に配されて背面側からの光が透過可能な透光パネル５１と、透光パネル５１に対して背面側から光を照射する光源であるＬＥＤ５２と、透光パネル５１を支持するとともに内部にＬＥＤ５２を保持するフレーム５３と、を備えて矩形状に構成されている。そして、照明装置５０は縦枠６、方立５、上枠７のそれぞれの枠体９に沿って構成されており、それぞれの枠体に応じて右枠部５０ａ、左枠部５０ｂ、上枠部５０ｃと区分けされる。これら右枠部５０ａ、左枠部５０ｂ、上枠部５０ｃは、大部分は共通する部材によって構成されている（例えば、透光パネル５１やＬＥＤ５２、フレーム５３は長さは異なるが共通の部材が用いられている）。したがって、特に言及する場合を除き、以下の説明は各枠部において共通のものとする。
【００１２】
透光パネル５１は、照明装置５０が取り付けられた枠体９に沿って長尺な部材からなり、本実施形態ではガラス板からなるものとしている。透光パネル５１の素材はガラスに限られず、アクリル板のようなプラスチック素材のもの等、透光性を有するものを適宜採用することができる。また、透光パネル５１には、背面側にフィルム５１ａが貼着されている。フィルム５１ａによって、ＬＥＤ５２から照射された光が拡散された状態で透光パネル５１を透過するようになっていて、内部に配されたＬＥＤ５２が直接視認されず外観性に優れる。なお、フィルム５１ａによらず、磨りガラスのように透光パネル５１自体への加工によって同様の効果を得ることもできる。
【００１３】
フレーム５３は、照明装置５０の枠組みとなる構成であり、透光パネル５１の一方の長辺を支持して照明装置５０の前面部を構成する第一フレーム５４と、他方の長辺を支持する第二フレーム５５と、各枠体に取り付けられて背面部を構成する第三フレーム５６と、を備えて凹字状に構成されている。また、フレーム５３は、開口部Ｏの自動開閉扉２側に見込面部５７を有しており、見込面部５７には、フレーム５３の内部にアクセスしてメンテナンス等を行うための点検口５８が設けられている。すなわち、点検口５８は右枠部５０ａでは左側面、左枠部５０ｂでは右側面、上枠部５０ｃでは底面にそれぞれ設けられている。そして、この点検口５８を常時は閉鎖しておくために、フレーム５３は点検口５８を開閉可能な蓋体５９を備えている。
【００１４】
照明装置５０の前面部は主に、ＬＥＤ５２の光が透過する透光パネル５１と、光が透過しない第一フレーム５４の前面部５４ａとによって構成されている。より具体的には、見込面部５７側に偏倚して透光パネル５１が配されていて、他方に第一フレーム５４の前面部５４ａが配されている。このようにすると、照明装置５０は、正面視において、透光パネル５１で区画される領域ではＬＥＤ５２から照射される光が透過する一方、第一フレーム５４の前面部５４ａで区画される領域では光が透過しないため、異なった視覚的効果を有する区画が存することとなる。例えばＬＥＤ５２を白色ＬＥＤとし、第一フレーム５４の前面部５４ａを赤色とすると、白色部分が光源によるものとなるため、紅白の差異に加えて発光の有無によるコントラストも生じさせることができる。また逆に、ＬＥＤ５２による光の色と第一フレーム５４の前面部５４ａを同系色にすることで、統一感を出すこともできる。もっとも、照明装置５０の前面部の略全域を透光パネル５１が占めるものとしてもよい。
【００１５】
第一フレーム５４は、前面部５４ａと、透光パネル５１の一端を挿通して固定支持するために前面部５４ａの見込面部５７側端部に設けられた、見込面部５７側が開口した凹状の受け部５４ｂと、前面部５４ａの受け部５４ｂと対向する側の端部から背面側に延出した板部５４ｃと、受け部５４ｂから背面側に延出した取付片５４ｄと、を備えて構成されている。板部５４ｃは、フレーム５３の見込面部５７に対向する対向面部を構成する。本実施形態では、開口部Ｏの上端縁部で建築物の躯体が前方にせり出した構造となっており、上枠部５０ｃにおいて、板部５４ｃがフレーム５３の上面部となってせり出した躯体の天井面１０に下方からボルトで固定されている。
【００１６】
第二フレーム５５は、第一フレーム５４の受け部５４ｂに対向する凹状の受け部５５ａと、受け部５５ａの点検口５８側の端部から背面側に延出した第一取付片５５ｂと、第一取付片５５ｂに対して対向する端部から背面側に延出した第二取付片５５ｃと、を備えており、フレーム５３の前面側で見込面部５７側の端部を構成している。
【００１７】
第一フレーム５４の受け部５４ｂと第二フレーム５５の受け部５５ｂとに透光パネル５１の対向する長辺部がそれぞれ挿通された状態でシーリングによる固定がなされることで、透光パネル５１がフレーム５３に固定支持されている。
【００１８】
第三フレーム５６は、照明装置５０の背面部を構成する平板状の板部５６ａと、板部５６ａの見込面部５７側、点検口５８側の端部からそれぞれ前方に向けて突出した第一取付片５６ｂ、第二取付片５６ｃと、から構成されていて、枠体９に連結された照明装置５０の背面部を構成する部材である。板部５６ａは、照明装置５０が取り付けられている建具１の各枠体９に対してネジやシーリングによって固定されている。また、上枠部５０ｃにおける第三フレーム５６の板部５６ａには、ＬＥＤ５２に接続される配線５２ａを挿通させる配線孔が設けられている。配線５２ａは、躯体の天井部から配線孔を通じて照明装置５０内部に背面側から配されている。
【００１９】
第一フレーム５４と第三フレーム５６とは、第一フレーム５４の板部５４ｃの背面側端部と、第三フレーム５６の第一取付片５６ｂとをネジ止めすることで一体に固定されている。このように第一フレーム５４と第三フレーム５６とは連結されているものの、照明装置５０の背面部を構成する部材である第三フレーム５６と、他の面部を構成する第一フレーム５４、第二フレーム５５や後述する蓋体５９がそれぞれ独立した部材としてフレーム５３を構成しているため、例えば第一フレーム５４が損傷したような場合であっても、第三フレーム５６の修理や交換が不要となるため、修理の作業性に優れたものとなっている。特に、本実施形態のように照明装置５０が枠体９の前方に取り付けられて躯体や建具１に対して前方にせり出している場合、例えば前面部を構成する第一フレーム５４に人や物がぶつかって損傷してしまうことが想定されるが、背面部を構成する第三フレーム５６と別体としたことで、枠体９から照明装置５０全体を取り外すことなく第一フレーム５４を修理・交換可能であるため、作業性に優れる。
【００２０】
右枠部５０ａの第一フレーム５４は、板部５４ｃの背面側端部が開口部Ｏに入り込んで建築物の躯体に対してシーリングによって固定されている。他方、上枠部５０ｃの第一フレーム５４は、上面部に相当する板部５４ｃが開口部Ｏの上端縁部から前方にせりだした躯体の天井面１０にボルトで固定されている。
【００２１】
点検口５８は、見込面部５７を構成する第二フレーム５５と第三フレーム５６とが見込方向に離間することで形成されている。そして、点検口５８より見込方向に幅広な板状部材からなる蓋体５９の対向する端部が、それぞれ第二フレーム５５の第一取付片５５ｂ及び第三フレーム５６の第二取付片５６ｃに対してネジ止めされることで、点検口５８を覆蓋するように構成されている。点検口５８から内部をメンテナンスする場合には、ネジ止めを解除して蓋体５９を取り外せばよい。なお、蓋体５９による点検口５８の開閉機構として、例えば一端をヒンジによって固定し、蓋体５９を回動させることで点検口５８を開閉可能とした構成としてもよいし、蓋体５９のスライド移動によって開閉可能とした構成としてもよい。蓋体５９には、撓みを抑止するための補強材５９ａが裏面に貼着されている。
【００２２】
本実施形態における右枠部５０ａ及び左枠部５０ｂでは、透光パネル５１がフレーム５３の下端に至らず、透光パネル５１の下端に配された下フレーム５３ａに支持されている。より具体的には、下フレーム５３ａは前端部に受け部５３ｂを有しており、この受け部５３ｂに透光パネル５１の下端部が挿入されてシーリング固定されている。もっとも、下フレーム５３ａを設けず、透光パネル５１をフレーム５３の下端に至らせるように構成してもよい。また、下フレーム５３ａは、見込面部５７側が蓋体５９によって覆蓋されてネジ止めされている。
【００２３】
続いて、照明装置５０の内部構造を説明する。フレーム５３の内部には、ＬＥＤ５２を固定するための部材である光源取付部材６１と、光源取付部材６１の点検口５８側の端部に着脱可能に取り付けられて前方に延出した溝側面部材６２と、ＬＥＤ５２を取り付けるため光源取付部材６１の前面側に取り付けられた取付レール６３と、取付レール６３に取り付けられた長管状のＬＥＤ５２と、ＬＥＤ５２に接続された配線５２ａと、が配されている。そして、光源取付部材６１が溝底部材として溝底面を形成し、溝側面部材６２が点検口５８側の溝側面を形成することで、フレーム５３の内部に、開口した前端部に透光パネル５１が配されて背面側が溝底部となる有底長溝状の空間Ｓ１が形成されている。
【００２４】
光源取付部材６１は、略Ｌ字状の部材で、透光パネル５１と平行に配され、透光パネル５１の前面の露出面と略同幅な板部６１ａと、板部６１ａの点検口５８側の端部から前方に突出した第一取付片６１ｂと、第一フレーム５４側の端部から前方に突出した第二取付片６１ｃと、第一取付片６１ｂ側の端部から後方に突出した第三取付片６１ｄと、を備えて構成され、空間Ｓ１の溝底を形成する溝底部材である。光源取付部材６１は、第二取付片６１ｃが第一フレーム５４の取付片５４ｄと点検口５８側から重なってネジ止めされることで、第一フレーム５４に対して着脱可能に固定されている。この第二取付片６１ｃは、空間Ｓ１において、溝側面部材６２と対向する側の溝側面を形成している。第二取付片６１ｃは、第一取付片６１ｂ及び第三取付片６１ｄよりも長尺で、第一フレーム５４の受け部５４ｂの後端部に至るように形成されている。他方、第一取付片６１ｂは第二フレーム５５の受け部５５ａとは離間していて、後述するように溝側面部材６２が取り外されると、点検口５８からＬＥＤ５２の確認や、第二取付片６１ｃのネジ止めの解除をすることができるようになっている。また、第三フレーム５６の第一取付片５６ｂは、点検口５８側に向けて段差状に延出しており、この段差の内部側（板部５６ａ側）の部位と光源取付部材６１の第三取付片６１ｄとが、あいだを架橋する平板状の第一補強部材６４に対して点検口５８側からネジ止めされている。
【００２５】
溝側面部材６２は、略平板状の長尺な部材からなり、第二フレーム５５の第二取付片５５ｃに一端部を、光源取付部材６１の第一取付片６１ｂに他端部を、それぞれ点検口５８側からネジ止めされることで、着脱可能に取り付けられている。すなわち、溝側面部材６２はフレーム５３の見込面部５７に対して平行に離間して配されることとなる。そして、このように光源取付部材６１及び溝側面部材６２が配設されることで、光源取付部材６１がフレーム３の見込面部（蓋体５９）から離間して固定されることとなる。これによって、外部に露出しているフレーム５３の見込面部５７に人や物がぶつかる等して衝撃を受けた場合であっても、光源取付部材６１には直接衝撃が伝わらないため、ＬＥＤ５２の位置ずれや配線５２ａの脱落等が生じるおそれを低減することができる。
【００２６】
このように光源配置部材６１と溝側面部材６２とが配設されることによって、前面が開口した断面略コ字状で有底長溝状の空間Ｓ１が形成され、その開口した前面に透光パネル５１が配されるとともに、ＬＥＤ５２は溝底部となる光源配置部材６１の板部６１ａに配設されることなる。溝側面部材６２は、溝底部材である光源配置部材６１とは分離して着脱可能に取り付けられているため、空間Ｓ１を形成した場合であっても、光源配置部材６１の第二取付片６１ｃ側のネジ止めの解除が容易なものとなる。なお、光源配置部材６１は板部６１ａが空間Ｓ１の溝底部を、第二取付片６１ｃが空間Ｓ１の第一フレーム５４側の溝側面部を形成するが、この第一フレーム５４側の溝側面部と溝底部とを分離して、溝底部を着脱可能としたものとして構成してもよい。
【００２７】
また、光源配置部材６１と溝側面部材６２とは金属材からなり、表面で光を反射するものであるため、これら部材が空間Ｓ１に内接する面である内接面６７は、ＬＥＤ５２から照射された光や、透光パネル５１が反射した光等の空間Ｓ１内の光を反射し、特にＬＥＤ５２から離間した透光パネル５１の端部の照度が向上して、全体としてムラが低減することとなる。なお、さらに照度を上昇させるために、内接面６７の一部又は全部に反射シートを貼付したものとしてもよい。また、反射する光を拡散させるために、内接面６７に凹凸を設けたものとしてもよい。
【００２８】
上枠部５０ｃでは、光源取付部材６１と溝側面部材６２とが、連結位置の内側に配された略Ｌ字状の第二補強部材６５によって、光源取付部材６１と第一フレーム５４とが、第二取付片６１ｃと板部５４ｃ（上面部）とのあいだを架橋して配された略Ｓ字状の第三補強部材６６によって、それぞれ補強されて固定されている。これは、上枠部５０ｃにおいて重力の影響よって溝側面部材６２の脱落や歪みが生じることを可及的に抑止するためである。なお、第一補強部材６４、第二補強部材６５及び第三補強部材６６は、いずれも光源取付部材６１よりも短尺な部材であり、適宜の位置に複数配設されている。
【００２９】
光源取付部材６１の板部６１ａの前面中央部には、長尺な取付レール６３が透光パネル５１に平行に背面側からネジ止めされて取り付けられている。この取付レール６３に、前方から長尺なＬＥＤ５２が嵌め込まれて取り付けられている。そして、光源取付部材６１の背面側にはＬＥＤ５２に接続される配線５２ａが配されている。配線５２ａは、ＬＥＤ５２に接続されているものと、電源に側接続されているものとが、コネクタ５２ｂを介して連結されている。このコネクタ５２ｂによる連結を解除することで、ＬＥＤ５２の取り外しが可能となる。光源取付部材６１の背面側に配された配線５２ａは、光源取付部材６１や溝側面部材６２を取り外すことなく点検口５８からアクセス可能に構成されているため、配線５２ａ状態の確認等を容易にすることができる。
【００３０】
本実施形態では光源としてＬＥＤを採用しているが、蛍光管を配したものとすることもできる。また、後述する第二実施形態のように、取付レール６３及びＬＥＤ５２の本数を増やして平行に並べて光量を調節したものとしてもよい。あるいは、導光板を配してその端部に配したＬＥＤから光を照射することで、導光板から正面の透光パネル５１に向けて光を照射するように構成したものとしてもよい。
【００３１】
上述した透光パネル５１、ＬＥＤ５２、フレーム５３、蓋体５９、光源取付部材６１、溝側面部材６２は、取り付けられる各枠体９に沿って長尺なものであるが、単一の部材で各枠体９の全長に対応する必要はなく、複数に分割したものとしてもよい。また、各枠部５０ａ、５０ｂ、５０ｃにおいても、それぞれの部材の長さを異なった長さで分割してもよい。本実施形態では、透光パネル５１及びフレーム５３につき、右枠部５０ａ及び左枠部５０ｂではそれぞれ単一の部材とする一方、上枠部５０ｃでは透光パネル５１が３分割、フレーム５３が２分割された構成となっている。この際、フレーム５３の継ぎ目となる目地５０ｄは、ジョイントカバー５０ｅによって覆蓋されることで、目立たないように配慮されている。また、内部構造となるＬＥＤ５２や光源取付部材６１、溝側面部材６２、取付レール６３については、右枠部５０ａ及び左枠部５０ｂでは上下に各３本、上枠部５０ｃでは左右に２本並べて配された構成となっている。このように分割することにより、必要な部分のみのメンテナンスが可能となって作業性に優れる。特に、例えば透光パネル５１を各枠体の全長としたような場合であっても、蓋体５９や内部構造を分割することにより、容易にメンテナンスが可能となる。
【００３２】
本実施形態では、建物の屋内外を隔てる建具１に照明装置５０が取り付けられているが、照明装置５０は必ずしも屋内外を隔てる箇所に取り付けられるものである必要はない。また、開口部Ｏには自動開閉扉２のような開閉体が設けられていなくてもよく、常時開放されたものであっても差し支えない。
【００３３】
続いて、本実施形態にかかる照明装置５０のメンテナンス方法につき、代表として右枠部５０ａを例に説明する（図７参照）。まず、見込面部５７に取り付けられている蓋体５９のネジ止めを解除して取り外し、点検口５８を開放する。この時点では、は溝側面部材６２によって覆蓋されているためＬＥＤ５２にはアクセスできないが、光源取付部材６１の背面側に配された配線５２ａにはアクセスすることができる。したがって、例えばコネクタ５２ｂの接続不良のように配線５２ａのみのメンテナンスについては、この時点で作業可能である。
【００３４】
その後、点検口５８から溝側面部材６２のネジ止めを解除して取り外すことで、光源取付部材６１やＬＥＤ５２にアクセス可能となる。そして、コネクタ５２ｂによる配線５２ａの連結を解除したうえで、光源取付部材６１のネジ止めを解除して取り外す。その後、必要に応じてＬＥＤ５２や取付レール６３を取り外す。必要な修理や交換をした後は、上記と逆手順によって各部材を取り付けていくことにより、メンテナンスが完了する。このように、照明装置５０は前面に長尺な透光パネル５１を備えているにもかかわらず、透光パネルを取り外すことなくメンテナンスすることができるため、作業性に優れている。なお、右枠部５０ａにおいては、カバー体５９は単一の部材である一方、光源取付部材６１、溝側面部材６２、ＬＥＤ５２、取付レール６３はいずれも上下に３分割されているため、メンテナンスに際しては必要な箇所のみを取り外せばよい。
【００３５】
叙述の如く構成された第一実施形態に係る照明装置５０は、フレーム５３が備えた見込面部５７に、フレーム５３の内部にアクセスするための点検口５８が設けられていることで、点検口５８から光源であるＬＥＤ５２や配線５２ａ等のメンテナンスをすることができるため、メンテナンスに際して前面に配された透光パネル５１の取り外しや移動が不要であり、作業性に優れる。
【００３６】
また、フレーム５３の内部にＬＥＤ５２が取り付けられた光源取付部材６１が配されており、光源配置部材６１がフレーム５３の見込面部５７（カバー体５９）から離間して間隙を有して固定されているため、見込面部５７に物がぶつかる等して衝撃が生じた場合であっても、光源取付部材６１に直接伝わらないため、ＬＥＤ５２や配線５２ａの位置ずれや脱落等を抑止することができる。
【００３７】
さらに、光源取付部材６１の前面にＬＥＤ５２が取り付けられ、背面側に配線５２ａが配されており、点検口５８から光源取付部材６１の背面側にアクセス可能であるため、配線５２ａのみのメンテナンスに際して、必ずしも光源取付部材を取り外す必要がない。また、光源取付部材６１は、透光パネル５１より短尺で複数に分割されて配されているため、メンテナンスが必要な箇所の光源取付部材６１のみを取り外すことができるため、作業性に優れる。
【００３８】
上枠部５０ｃにおいては、第一フレーム５４の上面部となる板部５４ｃと光源取付部材６１の第二取付片６１ｃとのあいだが、第三補強部材６６によって架橋されて補強されているため、光源取付部材６１の脱落や変形が抑止されている。
【００３９】
また、フレーム５３の内部には、点検口５８側の溝側面を形成する溝側面部材６２と、溝底面部材である光源配置部材６１とによって開口した前端部に透光パネル５１が配された有底長溝状の空間Ｓ１が形成され、空間Ｓ１に内接する内接面６７が空間Ｓ１内の光を反射する部材からなるため、ＬＥＤ５２から照射された光や透光パネル５１から反射した光等の空間Ｓ１内の光が内接面６７によって反射されて拡散されるため、透光パネル５１からの照度が向上するとともに、中央部と端部とでの照度のムラが低減することとなる。さらに、溝側面部材６２を光源配置部材６１と分離して着脱可能であるため、メンテナンスをするに際して特に第一フレーム５４に対するネジ止めの解除が容易となり、作業性に優れる。
【００４０】
また、枠体９に連結される照明装置５０の背面部を構成する部材である第三フレーム５６が、他の面部を構成する部材である第一フレーム５４、第二フレーム５５、蓋体５９から独立した部材としてフレーム５３を構成しているため、当該他の面部を構成する各部材が損傷等した場合であっても、枠体９から照明装置５０を取り外すことなく、当該部材を修理・交換可能であるため、作業性に優れる。
【００４１】
続いて、第二実施形態に係る照明装置７０について、図８に基づき説明する。照明装置７０では、主としてＬＥＤ５２が長尺方向に２本平行に配されていること、光源配置部材７１、溝側面部材７２の形状が変更されていること、が前述の実施形態のものとは相違している。参照符号は従前のものとし、特に相違点について上枠部７０ｃを代表とし、以下に説明する。
【００４２】
光源配置部材７１は、透光パネル５１と平行に配されて透光パネル５１の前面の露出面よりも幅狭な板部７１ａと、板部７１ａの点検口５８側の端部から前方に突出した第一取付片７１ｂと、第一取付片７１ｂ側の端部から後方に突出した第二取付片７１ｃと、板部７１ａの第一取付片７１ｂ及び第二取付片７１ｃよりも中央側の位置から前方外方（下方）に向けて傾斜して突設された第一傾斜面部７１ｄと、板部７１ａの第一フレーム５４側の端部（第一取付片７１ｂに対向する端部）から前方外方（上方）に向けて傾斜して延出した第二傾斜面部７１ｅと、第二傾斜面部７１ｅの前端からさらに前方に延出した第三取付片７１ｆと、第二傾斜面部７１ｅの外周面（第一フレーム５４側の板部５４ｃ側の面）から突設された第四取付片７１ｇと、を備えて構成されている。
【００４３】
溝側面部材７２は、取り付けられたときに光源配置部材７１の第一傾斜面部７１ｄの前端から連続して前方外方に傾斜した傾斜面部７２ａと、傾斜面部７２ａの前端から前方に向けて延出した第一取付片７２ｂと、傾斜面部７２ａの後端から見込面部５７側に向けて延出して光源配置部材７１の第二取付片７１ｃと重なり合う第二取付片７１ｃと、を備えて構成されている。
【００４４】
光源配置部材７１は、第二取付片７１ｃが第一補強部材６４に、第三取付片７１ｆが第一フレーム５４の取付片５４ｄに、第四取付片７１ｇが第三補強部材６６に対して、それぞれ開口部５８側から重なってネジ止めして取り付けられている。また、溝側面部材７２は、第一取付片７２ｂが第二フレーム５５の第二取付片５５ｃに、第二取付片７２ｃが光源配置部材７１の第一取付片７１ｂに対して、それぞれ開口部５８側から重なってネジ止めして取り付けられている。
【００４５】
このように光源配置部材７１と溝側面部材７２とが配設されることによって、前面が開口した断面略Ｃ字状の有底溝底状の空間Ｓ２が形成され、その開口した前端部に透光パネル５１が配されている。空間Ｓ２に内接する面である内接面７３は、光源配置部材７１の第一傾斜面部７１ｄ、第二傾斜面部７１ｅ、溝側面部材７２の傾斜面部７２ａによって形成された、空間Ｓ２の溝底側ほど溝幅が狭くなるよう傾斜した傾斜面７３ａを有している。このように傾斜面７３ａを有したものとすることにより、ＬＥＤ５２と近い位置で内接面７３での反射が生じることとなるため、透光パネル５１全体の照度が向上することとなる。なお、点検口５８側の傾斜面７３ａは、光源配置部材７１の第一傾斜面部７１ｄ及び溝側面部材７２の傾斜面部７２ａによって連続的に構成されているが、一方の部材のみで傾斜面７３ａを形成したものとしてもよい。
【００４６】
本実施形態において、内接面７３は略線対称に形成されており、ＬＥＤ５２及び取付レール６３は、光源配置部材７１の板部７１ａにおいて、内接面７３と同様の対称軸において略線対称に２本平行に配設されている。これによって、透光パネル５１の端部同士で照度の差異が生じることが抑止されている。
【００４７】
叙述の如く構成された第二実施形態に係る照明装置７０は、光源配置部材７１の第一傾斜面部７１ｄと、第二傾斜面部７１ｅと、溝側面部材７２の傾斜面部７２ａと、によって、空間Ｓ２の溝底側（光源配置部７１側）ほど溝幅が狭くなるよう傾斜した傾斜面７３ａを有するため、ＬＥＤ５２と近い位置で内接面７３の反射が生じることとなって、透光パネル５１全体の照度が向上したものとなっている。
【産業上の利用可能性】
【００４８】
本発明は、照明装置に係る分野に利用可能である。
【符号の説明】
【００４９】
１    建具
５    方立
６    縦枠
７    上枠
９    枠体
５０、７０  照明装置
５０ａ  右枠部
５０ｂ  左枠部
５０ｃ、７０ｃ  上枠部
５１    透光パネル
５２    ＬＥＤ（光源）
５２ａ  配線
５３    フレーム
５４    第一フレーム
５５    第二フレーム
５６    第三フレーム
５７    見込面部
５８    点検口
５９    蓋体
６１、７１  光源取付部材（溝底部材）
６２、７２  溝側面部材
６６    第三補強部材
６７、７３  内接面
７３ａ  傾斜面
Ｏ    開口部
Ｓ１、Ｓ２  空間
【図１】
2020102395.tif 000003
【図２】
2020102395.tif 000004
【図３】
2020102395.tif 000005
【図４】
2020102395.tif 000006
【図５】
2020102395.tif 000007
【図６】
2020102395.tif 000008
【図７】
2020102395.tif 000009
【図８】
2020102395.tif 000010